(57)【要約】【課題】ターゲットになる来場者の年代や性別を考慮して上演される演劇の出演者を選定可能にする。【解決手段】劇場内で演劇を鑑賞している観客を撮像することで画像データを取得する撮像装置１００と、撮像装置１００が取得した画像データが出力される笑顔評価システム２００とを有し、笑顔評価システム２００は、撮像装置１００から出力された画像データに基づき、観客が笑っている度合いを示す上演内容評価点数を算出し、演劇の出演者と演劇の演目との少なくともいずれか一方と、算出した上演内容評価点数とに基づく情報を生成する上演内容評価部２１０を有する。【選択図】図１
2016133939.tif 000002
【特許請求の範囲】
【請求項１】
劇場内で演劇を鑑賞している観客を撮像することで画像データを取得する撮像装置と、前記撮像装置が取得した前記画像データが出力される笑顔評価システムと、を有する出演者情報蓄積システムであって、
前記笑顔評価システムは、
前記撮像装置から出力された前記画像データに基づき、前記観客が笑っている度合いを示す上演内容評価点数を算出し、前記演劇の出演者と前記演劇の演目との少なくともいずれか一方と、算出した前記上演内容評価点数とに基づく情報を生成する上演内容評価部を有する、
出演者情報蓄積システム。
【請求項２】
請求項１に記載の出演者情報蓄積システムにおいて、
前記上演内容評価部は、前記撮像装置から出力された前記画像データに基づき、前記観客の年代と前記観客の性別との少なくともいずれか一方と、前記観客が笑っている度合いを示す上演内容評価点数とを算出し、前記演劇の出演者と前記演劇の演目との少なくともいずれか一方と、算出した前記観客の年代と前記観客の性別との少なくともいずれか一方と、前記観客が笑っている度合いを示す上演内容評価点数とを対応付けて記憶部に記憶する、
出演者情報蓄積システム。
【請求項３】
請求項１に記載の出演者情報蓄積システムにおいて、
前記上演内容評価部は、前記撮像装置から出力された前記画像データに基づき、前記観客の年代と前記観客の性別との少なくともいずれか一方と、前記観客が笑っている度合いを示す上演内容評価点数とを算出し、前記演劇の出演者と前記演劇の演目との少なくともいずれか一方と、前記演劇が上演される時間帯と前記演劇が上演される地域との少なくともいずれか一方と、算出した前記観客の年代と前記観客の性別との少なくともいずれか一方と、前記観客が笑っている度合いを示す上演内容評価点数とを対応付けて記憶部に記憶する、
出演者情報蓄積システム。
【請求項４】
請求項３に記載の出演者情報蓄積システムにおいて、
前記笑顔評価システムは、前記演劇が上演される時間帯と前記演劇が上演される地域との少なくともいずれか一方と、前記演劇に来場する観客の年代ごとの割合と前記演劇に来場する観客の性別ごとの割合との少なくともいずれか一方の入力を受け付ける出演者検索画面が表示される表示部をさらに有し、
前記上演内容評価部は、前記出演者検索画面を介して入力された前記演劇が上演される時間帯と前記演劇が上演される地域との少なくともいずれか一方をキーに前記記憶部を検索することで対応する、前記観客の年代ごとの上演内容評価点数と前記出演者の前記観客の性別ごとの上演内容評価点数との少なくともいずれか一方を取得し、取得した前記出演者の前記観客の年代ごとの上演内容評価点数と前記出演者の前記観客の性別ごとの上演内容評価点数との少なくともいずれか一方と、前記出演者検索画面を介して入力された前記演劇に来場する観客の年代ごとの割合と前記演劇に来場する観客の性別ごとの割合との少なくともいずれか一方とに基づいて、前記出演者の演劇に対する上演内容総合評価点数の期待値を算出する、
出演者情報蓄積システム。
【請求項５】
請求項４に記載の出演者情報蓄積システムにおいて、
前記上演内容評価部は、前記上演内容総合評価点数の期待値に基づき生成した上演内容一覧表示画面を前記表示部に表示させ、
前記表示部には、前記上演内容総合評価点数の期待値が高い順に、前記出演者の出演者名と、前記演目と、前記上演内容総合評価点数の期待値とが対応付けて一覧で前記上演内容一覧表示画面に表示される、
出演者情報蓄積システム。
【請求項６】
請求項１に記載の出演者情報蓄積システムにおいて、
前記笑顔評価システムは、
音声を集音し、集音した音声を前記上演内容評価部に出力するマイクをさらに有し、
前記上演内容評価部は、前記撮像装置から出力された前記画像データと、前記マイクから出力された音声データとに基づき、前記観客が笑っている度合いを示す上演内容評価点数を算出し、前記演劇の出演者と、算出した前記上演内容評価点数とを対応付けて記憶部に記憶する、
出演者情報蓄積システム。
【請求項７】
劇場内で演劇を鑑賞している観客を撮像することで画像データを取得する撮像装置と、前記撮像装置が取得した前記画像データが出力される笑顔評価システムと、を有する出演者情報蓄積システムにおける出演者情報蓄積方法であって、
前記撮像装置が、前記画像データを前記笑顔評価システムへ出力する画像データ出力ステップと、
前記笑顔評価システムの上演内容評価部が、前記撮像装置から出力された前記画像データに基づき、前記観客が笑っている度合いを示す上演内容評価点数を算出する点数算出ステップと、
前記笑顔評価システムの上演内容評価部が、前記演劇の出演者と前記演劇の演目との少なくともいずれか一方と、算出した前記上演内容評価点数とを対応付けて記憶部に記憶する記憶ステップと、
前記笑顔評価システムの上演内容評価部が、前記記憶部に記憶されている前記演劇の出演者と前記演劇の演目との少なくともいずれか一方と、算出した前記上演内容評価点数とに基づく情報を生成する情報生成ステップと、
を有する、出演者情報蓄積方法。
【請求項８】
劇場内で演劇を鑑賞している観客を撮像することで画像データを取得する撮像装置と、前記撮像装置が取得した前記画像データが出力される上演内容評価部と、を有する笑顔評価システムのコンピュータに実行させる出演者情報蓄積プログラムであって、
前記撮像装置が、前記画像データを前記笑顔評価システムへ出力する画像データ出力ステップと、
前記上演内容評価部が、前記撮像装置から出力された前記画像データに基づき、前記観客が笑っている度合いを示す上演内容評価点数を算出する点数算出ステップと、
前記上演内容評価部が、前記演劇の出演者と前記演劇の演目との少なくともいずれか一方と、算出した前記上演内容評価点数とを対応付けて記憶部に記憶する記憶ステップと、
前記笑顔評価システムの上演内容評価部が、前記記憶部に記憶されている前記演劇の出演者と前記演劇の演目との少なくともいずれか一方と、算出した前記上演内容評価点数とに基づく情報を生成する情報生成ステップと、
を前記コンピュータに実行させる、出演者情報蓄積プログラム。
【発明の詳細な説明】
【技術分野】
【０００１】
本発明は、出演者情報蓄積システムおよび出演者情報蓄積方法ならびに出演者情報蓄積プログラムに関する。
【背景技術】
【０００２】
ユーザの志向に応じて未放送の放送番組をユーザに推薦可能にする技術が知られている。
【０００３】
特開２０１１−１６６５７２号公報（特許文献１）には、「番組視聴手段に表示された番組を視聴するユーザーを撮影するための撮影手段と、撮影手段により撮影された画像から番組に対する視聴態度を番組に関連づけて記録する記録手段と、視聴態度に基づいてユーザーの好みの番組を推定する推定手段と、を備えた。」と開示されている。
【０００４】
また、特開２００９−２６７４４５号公報（特許文献２）には、「嗜好性情報管理装置は、所定コンテンツの再生に対応して視聴ユーザの注目度及び表情を評価する評価手段と、電子番組ガイドに含まれた前記所定コンテンツの属性情報の中のジャンルに対応した満足度算出手法を選択し、選択された満足度算出手法に基づき注目度の評価値及び表情の評価値のうち少なくとも注目度の評価値から前記所定コンテンツに対する満足度を算出する算出手段と、前記所定コンテンツの属性情報及び前記所定コンテンツに対する満足度に基づき視聴ユーザの嗜好性を判断する判断手段と、前記視聴ユーザの嗜好性判断の結果に基づき得られる前記視聴ユーザの嗜好性情報を記憶する記憶手段とを備える。」と開示されている。
【先行技術文献】
【特許文献】
【０００５】
【特許文献１】特開２０１１−１６６５７２号公報
【特許文献２】特開２００９−２６７４４５号公報
【発明の概要】
【発明が解決しようとする課題】
【０００６】
劇場の演劇でも、コンテンツ配信等と同様に観客の反応から内容（出演者）を決定したいというニーズがある。
【０００７】
しかし、特許文献１および特許文献２に開示された技術では、ターゲットになる来場者の年代や性別を考慮して、劇場で上演される演劇（例えば、漫才、芝居など）の出演者を決定することが困難であった。
【０００８】
本発明の目的は、ターゲットになる来場者の年代や性別を考慮して上演される演劇の出演者を選定可能にする技術を提供することである。
【課題を解決するための手段】
【０００９】
本願において開示される発明のうち、代表的なものの概要を簡単に説明すれば、次の通りである。
【００１０】
本発明の一実施の形態の出演者情報蓄積システムは、劇場内で演劇を鑑賞している観客を撮像することで画像データを取得する撮像装置と、前記撮像装置が取得した前記画像データが出力される笑顔評価システムと、を有し、前記笑顔評価システムは、前記撮像装置から出力された前記画像データに基づき、前記観客が笑っている度合いを示す上演内容評価点数を算出し、前記演劇の出演者と前記演劇の演目との少なくともいずれか一方と、算出した前記上演内容評価点数とに基づく情報を生成する上演内容評価部を有する。
【００１１】
また、本発明の一実施の形態は、劇場内で演劇を鑑賞している観客を撮像することで画像データを取得する撮像装置と、前記撮像装置が取得した前記画像データが出力される笑顔評価システムと、を有する出演者情報蓄積システムにおける出演者情報蓄積方法であって、前記撮像装置が、前記画像データを前記笑顔評価システムへ出力する画像データ出力ステップを有する。また、前記笑顔評価システムの上演内容評価部が、前記撮像装置から出力された前記画像データに基づき、前記観客が笑っている度合いを示す上演内容評価点数を算出する点数算出ステップを有する。また、前記笑顔評価システムの上演内容評価部が、前記演劇の出演者と前記演劇の演目との少なくともいずれか一方と、算出した前記上演内容評価点数とを対応付けて前記記憶部に記憶する記憶ステップを有する。また、前記笑顔評価システムの上演内容評価部が、前記記憶部に記憶されている前記演劇の出演者と前記演劇の演目との少なくともいずれか一方と、算出した前記上演内容評価点数とに基づく情報を生成する情報生成ステップとを有する。
【００１２】
また、本発明の一実施の形態は、劇場内で演劇を鑑賞している観客を撮像することで画像データを取得する撮像装置と、前記撮像装置が取得した前記画像データが出力される上演内容評価部と、を有する笑顔評価システムのコンピュータに実行させる出演者情報蓄積プログラムであって、前記撮像装置が、前記画像データを前記笑顔評価システムへ出力する画像データ出力ステップを前記コンピュータに実行させる。また、前記上演内容評価部が、前記撮像装置から出力された前記画像データに基づき、前記観客が笑っている度合いを示す上演内容評価点数を算出する点数算出ステップを前記コンピュータに実行させる。また、前記上演内容評価部が、前記演劇の出演者と前記演劇の演目との少なくともいずれか一方と、算出した前記上演内容評価点数とを対応付けて前記記憶部に記憶する記憶ステップを前記コンピュータに実行させる。また、前記笑顔評価システムの上演内容評価部が、前記記憶部に記憶されている前記演劇の出演者と前記演劇の演目との少なくともいずれか一方と、算出した前記上演内容評価点数とに基づく情報を生成する情報生成ステップを前記コンピュータに実行させる。
【発明の効果】
【００１３】
本願において開示される発明のうち、代表的なものによって得られる効果を簡単に説明すれば以下のとおりである。
【００１４】
本発明の代表的な実施の形態によれば、ターゲットになる来場者の年代や性別を考慮して上演される演劇の出演者を選定できる。
【図面の簡単な説明】
【００１５】
【図１】本発明の一実施の形態における出演者情報蓄積システムの構成例の概要を示す図である。
【図２】本発明の一実施の形態における笑顔評価システムの記憶部に記憶されている観客情報テーブルの構成例を示す図である。
【図３】本発明の一実施の形態における笑顔評価システムの記憶部に記憶されている出演者情報テーブルの構成例を示す図である。
【図４】本発明の一実施の形態における出演者情報記憶処理の概要を示す図である。
【図５】本発明の一実施の形態における出演者選定処理の概要を示す図である。
【図６】本発明の一実施の形態における笑顔評価システムの表示部が表示する出演者検索画面の概要を示す図である。
【図７】本発明の一実施の形態における笑顔評価システムの表示部が表示する上演内容一覧表示画面の概要を示す図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
＜システム構成＞
図１は、本発明の一実施の形態における出演者情報蓄積システム１の構成例の概要を示す図である。図１に示されるように、出演者情報蓄積システム１は、劇場内で演劇（例えば、漫才、芝居など）を鑑賞している観客を撮像することで画像データを取得する複数の撮像装置（例えば、カメラ）１００と、撮像装置１００と接続される笑顔評価システム２００とを有する。
【００１８】
また、撮像装置１００、笑顔評価システム２００は、所定のハードウェアおよびソフトウェアにより実装される。例えば、撮像装置１００、笑顔評価システム２００は、プロセッサやメモリなどを有し、プロセッサにより実行されるメモリ上のプログラムが、撮像装置１００、笑顔評価システム２００のコンピュータを機能させる。
【００１９】
撮像装置１００は、劇場内で演劇を鑑賞している観客を撮像することで画像データを取得する。また、撮像装置１００は、取得した画像データを、笑顔評価システム２００へ出力する。
【００２０】
笑顔評価システム２００は、上演内容評価部２１０と、表示部（例えば、ディスプレイ）２２０と、記憶部２３０とを有する。
【００２１】
記憶部２３０には、劇場への観客の年代と、観客の性別と、観客が笑っている度合いを示す上演内容評価点数を算出するための推定データが記憶されている。また、記憶部２３０には、劇場への観客の来場実績に関する観客情報テーブル（後述、図２）と、出演者が演劇に出演した実績に関する出演者情報テーブル（後述、図３）とが記憶されている。
【００２２】
上演内容評価部２１０は、出力された画像データと、記憶部２３０に記憶されている推定データとをパターンマッチングすることで、観客の年代と、観客の性別とを算出する。上演内容評価部２１０が、出力される画像データに基づき、観客の年代と、性別とを算出するのには、公知の技術を用いれば良いため、詳細な説明を省略する。これによって、上演内容評価部２１０は、演劇の出演者と演劇の演目との少なくともいずれか一方と、算出した上演内容評価点数とに基づく情報を生成する。
【００２３】
また、上演内容評価部２１０は、撮像装置１００から出力された画像データに基づき、演劇が開始してから終了するまでの間に観客が笑っている度合いを示す上演内容評価点数を算出する。上演内容評価部２１０が、出力される画像データに基づき、観客が笑っている度合いを示す上演内容評価点数を算出するのには、公知の技術を用いれば良いため、詳細な説明を省略する。なお、上演内容評価部２１０が、観客の年代と観客の性別との少なくともいずれか一方を算出するようにしても良い。また、上演内容評価部２１０は、リアルタイムで観客が笑っている度合いを示す上演内容評価点数を算出しても良い。一方、演劇が終了した後に、上演内容評価部２１０が、蓄積された画像データに基づき観客が笑っている度合いを示す上演内容評価点数を算出しても良い。
【００２４】
上演内容評価部２１０は、上演が開始してから終了するまでの間に所定回数以上笑った観客の人数を、来場している観客の人数で除算することで各上演内容評価点数を算出する。例えば、来場している１０代の女性の観客の総人数が１００人で、所定回数以上笑った１０代の女性の観客の人数が５０人である場合、上演内容評価部２１０は、１０代の女性の上演内容評価点数を５０点と算出する。
【００２５】
なお、上演内容評価部２１０が、来場している観客が、上演が開始してから終了するまでの間に笑った総回数を所定値（例えば、１００）で除算した値を、来場している観客の人数で除算することで、各上演内容評価点数を算出するようにしても良い。例えば、来場している１０代の女性の観客が、上演が開始してから終了するまでの間に笑った総回数が５０００回で、来場している１０代の女性の総人数が１００人である場合、上演内容評価部２１０は、１０代の女性についての上演内容評価点数を５０点と算出する。また、上演内容評価部２１０が、上演が開始してから終了するまでの間に観客が笑った総時間を所定値（例えば、上演が開始してから終了するまでの時間）で除算した値を、観客の人数で除算することで各上演内容評価点数を算出するようにしても良い。また、上演内容評価部２１０は、笑い声の大きさが、所定値以上である場合、２回〜５回笑ったとして総回数に加算し、上演内容評価点数を算出するようにしても良い。
【００２６】
笑顔評価システム２００が、音声を集音し、集音した音声を上演内容評価部２１０に出力するマイク（不図示）をさらに有しても良い。この場合、上演内容評価部２１０は、撮像装置１００から出力された画像データと、マイクから出力された音声データとに基づき、演劇が開始してから終了するまでの間に観客が笑っている度合いを示す上演内容評価点数を算出し、演劇の出演者と、演目と、算出した上演内容評価点数とを対応付けて記憶部２３０に記憶する。この場合、上演内容評価部２１０は、上演が開始してから終了するまでの間に画像データに基づいて観客が笑い、かつ、マイクから出力される音声データに基づいて観客が笑ったと判定する場合のみに、観客が笑ったとしてカウントする。すなわち、上演内容評価部２１０は、上演が開始してから終了するまでの間に画像データに基づいて観客が笑い、かつ、音声データに基づいて観客が笑ったと判定する回数を、来場している観客の人数で除算することで、各上演内容評価点数を算出する。
【００２７】
上演内容評価部２１０は、出演者の名称と、演劇が上演される時間帯と、演劇が上演される地域と、年代および性別から特定される観客の属性ごとの上演内容評価点数とを対応付けて記憶部２３０に記憶する。これによって、記憶部２３０に記憶されている出演者情報テーブルに新たなレコードが追加される。なお、上演内容評価部２１０が、算出した観客の年代と観客の性別との少なくともいずれか一方ごとの上演内容評価点数と、演劇が上演される時間帯と演劇が上演される地域との少なくともいずれか一方とを対応付けて記憶部２３０に記憶するようにしても良い。
【００２８】
上演内容評価部２１０は、出演者検索画面（後述、図６）を介して入力された、演劇が上演される時間帯と演劇が上演される地域とをキーに記憶部２３０に記憶されている出演者情報テーブルを検索することで、対応する出演者名と、演目と、年代および性別から特定される観客の属性ごとの上演内容評価点数とを取得する。そして、上演内容評価部２１０は、取得した観客の属性ごとの上演内容評価点数と、出演者検索画面を介して入力された演劇に来場する観客の属性ごとの割合とに基づいて、出演者の演目に対する上演内容総合評価点数の期待値を算出する。上演内容評価部２１０は、出演者の演目が上演された場合の上演内容総合評価点数の期待値に基づき生成した上演内容一覧表示画面（後述、図７）を、表示部２２０に表示させる。
【００２９】
表示部２２０には、演劇が上演される時間帯と、演劇が上演される地域と、年代および性別から特定される観客の属性ごとの割合との入力を受け付ける出演者検索画面が表示される。また、上演内容一覧表示画面にて、表示部２２０には、上演内容総合評価点数の期待値が高い順に、出演者の出演者名と、演目と、上演内容総合評価点数の期待値とが対応付けて一覧で表示される。
【００３０】
なお、笑顔評価システム２００が撮像装置１００を有するようにしても良い。
【００３１】
また、撮像装置１００は、複数である必要はない。また、撮像装置１００は、劇場内のすべての観客を撮像する必要はない。すなわち、撮像装置１００は、所定の人数の観客を撮像可能であれば良い。
【００３２】
＜観客情報テーブル＞
図２は、本発明の一実施の形態における笑顔評価システム２００の記憶部２３０に記憶されている観客情報テーブルの構成例を示す図である。観客情報テーブルは、これまでの観客の来場実績や、これから上演する演劇のチケットの販売実績に基づき生成される。観客情報テーブルは、[演目]、[時間帯]、[上演地]、[１０代男性]、[１０代女性]、[２０代男性]、[２０代女性]、[３０代男性]（不図示）、[３０代女性]（不図示）、[４０代男性]（不図示）、[４０代女性]（不図示）、[５０代男性]（不図示）、[５０代女性]（不図示）、[６０代男性]、[６０代女性]などのデータ項目を含む。
【００３３】
[演目]は、上演される演劇の名称を示す。[時間帯]は、演劇が上演される時間帯を示す。[上演地]は、演劇が上演される地域の名称を示す。[１０代男性]〜[６０代男性]は、演劇に来場する観客全体に占める各年代（１０代〜６０代）の男性の割合を示す。[１０代女性]〜[６０代女性]は、演劇に来場する観客全体に占める各年代（１０代〜６０代）の女性の割合を示す。
【００３４】
＜出演者情報テーブル＞
図３は、本発明の一実施の形態における笑顔評価システム２００の記憶部２３０に記憶されている出演者情報テーブルの構成例を示す図である。出演者情報テーブルは、[出演者名]、[演目]、[時間帯]、[上演地]、[１０代男性の点数]、[１０代女性の点数]、[２０代男性の点数]、[２０代女性の点数]、[３０代男性の点数]（不図示）、[３０代女性の点数]（不図示）、[４０代男性の点数]（不図示）、[４０代女性の点数]（不図示）、[５０代男性の点数]（不図示）、[５０代女性の点数]（不図示）、[６０代男性の点数]、[６０代女性の点数]などのデータ項目を含む。
【００３５】
[出演者名]は、出演者の名称を示す。[演目]は、演劇の題名を示す。[１０代男性の点数]〜[６０代男性の点数]は、対応する出演者の演劇に対して、演劇が開始してから終了するまでの間に各年代（１０代〜６０代）の男性が笑っている度合い（上演内容評価点数）を示す。[１０代女性の点数]〜[６０代女性の点数]は、対応する出演者の演劇に対して、演劇が開始してから終了するまでの間に各年代（１０代〜６０代）の女性が笑っている度合い（上演内容評価点数）を示す。
【００３６】
＜出演者情報記憶処理＞
図４は、本発明の一実施の形態における出演者情報記憶処理の概要を示す図である。
【００３７】
まず、Ｓ４０１にて、撮像装置１００は、劇場内の観客を撮像する。そして、撮像装置１００は、撮像することで取得した画像データを笑顔評価システム２００へ出力する。
【００３８】
次に、Ｓ４０２にて、笑顔評価システム２００の上演内容評価部２１０に画像データが出力される。
【００３９】
次に、Ｓ４０３にて、上演内容評価部２１０は、出力された画像データと、記憶部２３０に記憶されている推定データとをパターンマッチングすることで、観客の年代と、観客の性別とを、公知技術を用いて算出する。また、上演内容評価部２１０は、出力された画像データと、記憶部２３０に記憶されている推定データとをパターンマッチングすることで、算出した年代および性別から特定される観客の属性ごとに、観客が笑っているか否かを判定する。
【００４０】
次に、Ｓ４０４にて、上演内容評価部２１０は、演劇の上演が終了したかを判定する。Ｓ４０４にて、上演内容評価部２１０が、上演が終了していないと判定する場合（Ｓ４０４−Ｎｏ）、Ｓ４０３へ戻る。一方、Ｓ４０４にて、上演内容評価部２１０が、上演が終了したと判定する場合（Ｓ４０４−Ｙｅｓ）、Ｓ４０５へ進む。なお、上演内容評価部２１０は、演劇が上演されている時間帯と現在の時刻とに基づいて、上演が終了したかを判定する。例えば、現在の時刻が、演劇が上演されている時間帯に含まれる場合、上演内容評価部２１０は、上演が終了していないと判定する。
【００４１】
次に、Ｓ４０５にて、上演内容評価部２１０は、これまでに観客が笑ったと判定した回数に基づいて、観客が笑っている度合いを示す上演内容評価点数を算出する。
【００４２】
次に、Ｓ４０６にて、上演内容評価部２１０は、出演者名と、演目と、演劇が上演されている時間帯と、演劇が上演されている地域と、年代および性別から特定される観客の属性ごとの上演内容評価点数とを対応付けて記憶部２３０に記憶する。これによって、出演者情報テーブル（前述、図３）に新たなレコードが追加される。
【００４３】
＜出演者選定処理＞
図５は、本発明の一実施の形態における出演者選定処理の概要を示す図である。
【００４４】
まず、Ｓ５０１にて、笑顔評価システム２００の表示部２２０には、出演者検索画面（後述、図６）が表示される。
【００４５】
以下、図６を用いて出演者検索画面について詳細に説明する。図６に示されるように、出演者検索画面には、演劇に来場する観客の１０代男性の割合と、１０代女性の割合と、２０代男性の割合と、２０代女性の割合と、３０代男性の割合と、３０代女性の割合と、４０代男性の割合と、４０代女性の割合と、５０代男性の割合と、５０代女性の割合と、６０代男性の割合と、６０代女性の割合との入力を受け付ける観客情報入力欄６０１が表示される。また、出演者検索画面には、演劇が上演される時間帯の入力を受け付ける時間帯入力欄６０２が表示される。また、出演者検索画面には、演劇が上演されている地域についての入力を受け付ける上演地入力欄６０３が表示される。
【００４６】
再び図５を参照する。次に、Ｓ５０２にて、各観客情報入力欄６０１と、時間帯入力欄６０２と、上演地入力欄６０３とに情報が入力された後に、検索ボタン６０４が入力を受け付ける。これによって、演劇に来場する観客の１０代男性の割合と、１０代女性の割合と、２０代男性の割合と、２０代女性の割合と、３０代男性の割合と、３０代女性の割合と、４０代男性の割合と、４０代女性の割合と、５０代男性の割合と、５０代女性の割合と、６０代男性の割合と、６０代女性の割合と、演劇が上演される時間帯と、演劇が上演されている地域とが入力される。そして、出演者を検索するのに必要な各種情報が入力される。
【００４７】
なお、Ｓ５０２にて、時間帯入力欄６０２、上演地入力欄６０３のみが入力を受け付けるようにしても良い。この場合、笑顔評価システム２００の上演内容評価部２１０は、入力を受け付けた各種情報をキーに観客情報テーブル（前述、図２）を検索し、対応する１０代男性の割合（図３中、１０代男性の点数）〜６０代男性の割合（図３中、６０代男性の点数）と、１０代女性の割合（図３中、１０代女性の点数）〜６０代女性の割合（図３中、６０代女性の点数）とを取得する。また、観客情報テーブルから取得することに替えて、上演内容評価部２１０は、時間帯入力欄６０２、上演地入力欄６０３に基づき、１０代男性の割合〜６０代男性の割合と、１０代女性の割合〜６０代女性の割合を、公知の技術により推測するようにしても良い。
【００４８】
次に、Ｓ５０３にて、笑顔評価システム２００の上演内容評価部２１０は、Ｓ５０２にて入力された（または取得あるいは推測した）演劇が上演される時間帯と、演劇が上演されている地域である上演地とをキーに記憶部２３０に記憶されている出演者情報テーブル（前述、図３）を検索することで対応する出演者名と、演目と、１０代男性の上演内容評価点数（図３中、１０代男性の点数）〜６０代男性（図３中、６０代男性の点数）の上演内容評価点数と、１０代女性の上演内容評価点数（図３中、１０代女性の点数）〜６０代女性の上演内容評価点数（図３中、６０代女性の点数）とをすべて取得する。
【００４９】
次に、Ｓ５０４にて、上演内容評価部２１０は、Ｓ５０２にて入力された演劇に来場する観客の１０代男性の割合〜６０代男性の割合と、出演者ごとのＳ５０３にて取得した１０代男性の上演内容評価点数〜６０代男性の上演内容評価点数とを乗算することで、出演者および演目から特定される上演内容ごとに１０代男性の上演内容評価点数の期待値〜６０代男性の出演者評価の期待値を算出する。また、上演内容評価部２１０は、Ｓ５０２にて入力された演劇に来場する観客の１０代女性の割合〜６０代女性の割合と、出演者ごとのＳ５０３にて取得した１０代女性の上演内容評価点数〜６０代女性の上演内容評価点数とを乗算することで、出演者および演目から特定される上演内容ごとに１０代女性の上演内容評価点数の期待値〜６０代女性の上演内容評価点数の期待値を算出する。
【００５０】
例えば、Ｓ５０２にて入力された演劇に来場する観客の１０代男性の割合が１０％でありＳ５０３にて取得した出演者Ａの演目「○○○」についての１０代男性の上演内容評価点数が５０点である場合、上演内容評価部２１０は、５０と０．１とを乗算することで、出演者Ａの演目「○○○」についての１０代男性の上演内容評価点数の期待値として５点を算出する。上演内容評価部２１０は、２０代男性の上演内容評価点数の期待値〜６０代男性の上演内容評価点数の期待値についても同様に算出する。
【００５１】
また、Ｓ５０２にて入力された演劇に来場する観客の１０代女性の割合が１５％でありＳ５０３にて取得した出演者Ａの１０代女性の上演内容評価点数が６０点である場合、上演内容評価部２１０は、６０と０．１５とを乗算することで、出演者Ａの演目「○○○」についての１０代女性の上演内容評価点数の期待値として９点を算出する。また、上演内容評価部２１０は、Ｓ５０３にて取得したすべての出演者および演目から特定される上演内容について、１０代男性の上演内容評価点数の期待値と、１０代女性の上演内容評価点数の期待値とを算出する。上演内容評価部２１０は、２０代女性の上演内容評価点数の期待値〜６０代女性の上演内容評価点数の期待値についても同様に算出する。
【００５２】
次に、Ｓ５０５にて、上演内容評価部２１０は、出演者ごとにＳ５０４にて算出した１０代男性の上演内容評価点数の期待値〜６０代男性の上演内容評価点数の期待値と、１０代女性の上演内容評価点数の期待値〜６０代女性の上演内容評価点数の期待値とを加算することで、上演内容総合評価点数の期待値を出演者ごとに算出する。そして、上演内容評価部２１０は、演劇の出演者と、演劇の演目と、算出した上演内容総合評価点数とに基づく情報を生成する。
【００５３】
例えば、Ｓ５０４にて算出した出演者Ａの演目「○○○」についての１０代男性の上演内容評価点数の期待値が５点であり、出演者Ａの演目「○○○」についての１０代女性の上演内容評価点数の期待値が９点であり、出演者Ａの演目「○○○」についての２０代男性の上演内容評価点数の期待値が６点であり、出演者Ａの演目「○○○」についての２０代女性の上演内容評価点数の期待値が５点であり、出演者Ａの演目「○○○」についての３０代男性の上演内容評価点数の期待値が６点であり、出演者Ａの演目「○○○」についての３０代女性の上演内容評価点数の期待値が３点であり、出演者Ａの演目「○○○」についての４０代男性の上演内容評価点数の期待値が２点であり、出演者Ａの演目「○○○」についての４０代女性の上演内容評価点数の期待値が４点であり、出演者Ａの演目「○○○」についての５０代男性の上演内容評価点数の期待値が２点であり、出演者Ａの演目「○○○」についての５０代女性の上演内容評価点数の期待値が１０点であり、出演者Ａの演目「○○○」についての６０代男性の上演内容評価点数の期待値が８点であり、出演者Ａの演目「○○○」についての６０代女性の上演内容評価点数の期待値が９点である場合、上演内容評価部２１０は、５と９と６と５と６と３と２と４と２と１０と８と９とを加算することで、出演者Ａが出演した場合の上演内容総合評価点数の期待値として６９点を算出する。また、上演内容評価部２１０は、Ｓ５０３にて取得したすべての出演者および演目から特定される上演内容について、上演内容総合評価点数の期待値を算出する。
【００５４】
次に、Ｓ５０６にて、上演内容評価部２１０は、Ｓ５０５にて算出した、各出演者の上演内容総合評価点数の期待値に基づき、上演内容一覧表示画面（後述、図７）を生成する。そして、上演内容評価部２１０は、生成した上演内容一覧表示画面を表示部２２０に表示させる。
【００５５】
以下、図７を用いて上演内容一覧表示画面について詳細に説明する。図７に示されるように上演内容一覧表示画面にて、表示部２２０には、Ｓ５０５にて算出された上演内容総合評価点数が高い順に、出演者名と、Ｓ５０５にて算出された上演内容総合評価点数と、Ｓ５０２にて入力された演劇が上演される時間帯と、演劇が上演されている地域である上演地とを対応付けて一覧で表示する。また、表示部２２０には、出演者名と隣接する位置にチェックボックス７０１が表示される。チェックボックス７０１が選択された後に決定ボタン７０２が選択されると、チェックボックスにて選択された出演者が演劇に出演する出演者として選定される。
【００５６】
＜本実施の形態の効果＞
以上説明した本実施の形態における出演者情報蓄積システム１によれば、笑顔評価システム２００の上演内容評価部２１０が、撮像装置１００から出力された画像データに基づき、観客が笑っている度合いを示す上演内容評価点数を算出し、演劇の出演者と、算出した上演内容評価点数とを対応付けて記憶部２３０に記憶することで、観客が笑った度合いに比例した料金を観客から徴収できるようになる。すなわち、観客が劇場から退場する際に、観客が笑った度合いに比例した料金を観客から徴収できる。
【００５７】
また、笑顔評価システム２００の上演内容評価部２１０が、観客の年代と観客の性別との少なくともいずれか一方と、観客が笑っている度合いを示す上演内容評価点数とを算出し、演劇の出演者と、算出した観客の年代と観客の性別との少なくともいずれか一方と、観客が笑っている度合いを示す上演内容評価点数とを対応付けて記憶部２３０に記憶することで、ターゲットになる来場者の年代や性別を考慮して上演される演劇の出演者を選定できるようになる。
【００５８】
また、笑顔評価システム２００の上演内容評価部２１０が、撮像装置１００から出力された画像データに基づき、観客の年代と観客の性別との少なくともいずれか一方と、観客が笑っている度合いを示す上演内容評価点数とを算出し、演劇の出演者と、演劇が上演される時間帯と演劇が上演される地域との少なくともいずれか一方と、算出した観客の年代と観客の性別との少なくともいずれか一方と、観客が笑っている度合いを示す上演内容評価点数とを対応付けて記憶部２３０に記憶することで、演劇が上演される時間帯と演劇が上演される地域を考慮して上演される演劇の出演者を選定できるようになる。例えば、西日本と、東日本とで人が面白いと感じる基準が異なることがあるが、このような違いを考慮して上演される演劇の出演者を選定できるようになる。また、演劇の内容が、昼間では笑えないよう場合でも、夜間なら笑えるということもある。このような時間帯による特性を考慮して演劇の出演者を選定できる。
【００５９】
また、笑顔評価システム２００の表示部２２０に、演劇が上演される時間帯と演劇が上演される地域との少なくともいずれか一方と、演劇に来場する観客の年代ごとの割合と演劇に来場する観客の性別ごとの割合との少なくともいずれか一方の入力を受け付ける出演者検索画面が表示されることで、上演する演劇に出演するのに適した出演者を検索できる。
【００６０】
また、笑顔評価システム２００の表示部２２０に、上演内容総合評価点数の期待値が高い順に、出演者の出演者名と、上演内容総合評価点数の期待値とが対応付けて一覧で上演内容一覧表示画面に表示されることで、より観客を笑わせることが可能な出演者を選定できる。また、演劇の企画者が、上演内容総合評価点数の期待値が高い出演者が出演するようにスケジュールを作成できる。これによって、演劇の上演内容を企画し、企画した演劇を上演し、その後、上演内容を評価し、当該評価結果を次回の演劇の企画に反映するというＰＤＣＡサイクルを実現できる。そして、上演される演劇を企画する質が向上する。
【００６１】
以上、本発明者によってなされた発明を実施の形態に基づき具体的に説明したが、本発明は前記実施の形態に限定されるものではなく、その要旨を逸脱しない範囲で種々変更可能であることはいうまでもない。
【００６２】
例えば、演劇に替えて、映画に本発明を適用しても良い。この場合、映画にて、どの時間帯で観客が笑っているかを分析できるようになる。また、映画が上演される地域（国）ごとに、どの時間帯で観客が笑っているかを分析できるようになる。
【符号の説明】
【００６３】
１００…撮像装置、
２００…笑顔評価システム、２１０…上演内容評価部、２２０…表示部、２３０…記憶部。
【図１】
2016133939.tif 000003
【図２】
2016133939.tif 000004
【図３】
2016133939.tif 000005
【図４】
2016133939.tif 000006
【図５】
2016133939.tif 000007
【図６】
2016133939.tif 000008
【図７】
2016133939.tif 000009